(57)【要約】【課題】広い作業デッキに対応して作業者を覆うことができ、また高さを自由に調整することができ、さらに破砕装置の投入口に不用意に工具、異物などが落下進入するのを防止できるキャノピーを備えた、自走式破砕機を提供する。【解決手段】上方に向け開口した破砕装置の投入口及びこの投入口の近傍に設けられた作業デッキを有する機体と、この機体に取り付けられたキャノピーとを備え、キャノピーのルーフを、作業デッキの上方に位置する「上位置」と機体側に下りた「下位置」の間を移動自在に取り付ける。【選択図】図１
2006000690.tif 000002
【特許請求の範囲】
【請求項１】
上方に向け開口した破砕装置の投入口及びこの投入口の近傍に設けられた作業デッキを有する機体と、この機体に取り付けられたキャノピーとを備え、該キャノピーのルーフが、該作業デッキの上方に位置する「上位置」と該機体側に下りた「下位置」の間を移動自在に取り付けられている、ことを特徴とする自走式破砕機。
【請求項２】
該作業デッキが該機体の左右両側部に形成された側部デッキを含み、該ルーフが該「上位置」においてこの側部デッキを含む作業デッキ全体を実質上覆う大きさに形成されている、請求項１記載の自走式破砕機。
【請求項３】
該ルーフが、該機体に該「上位置」と「下位置」の間を移動自在に支持する支持手段を介して取り付けられている、請求項１又は２記載の自走式破砕機。
【請求項４】
該支持手段が、該側部デッキの各々に取り付けられた一対のスタンドと、このスタンドの各々と該ルーフの間に取り付けられた四辺形リンク部材を備えている、請求項３記載の自走式破砕機。
【請求項５】
該四辺形リンク部材によって該ルーフが、該「下位置」から「上位置」に向けて張り出される、請求項４記載の自走式破砕機。
【請求項６】
該「下位置」のルーフによって該破砕装置の投入口が覆われる、請求項１から５までのいずれかに記載の自走式破砕機。
【請求項７】
該四辺形リンク部材及びスタンドの各々に連結され該ルーフの移動を駆動するあるいは手動による該ルーフの移動を補助するルーフ移動手段を備えている、請求項４記載の自走式破砕機。
【発明の詳細な説明】
【技術分野】
【０００１】
本発明は、自走式破砕機、さらに詳しくは、キャノピーを備えた自走式破砕機に関する。
【背景技術】
【０００２】
自走式破砕機は、走行体上に、被破砕物が投入される上方に向け開口した破砕装置の投入口を有する機体を備え、生成された破砕物は排出コンベアによって機体の外に搬出される（例えば、特許文献１参照）。
【０００３】
自走式破砕機は、作業現場の間をトラック、トレーラなどに載せて輸送され、屋外の作業現場において破砕作業を遂行する。自走式破砕機は、作業現場内において自走し任意の場所に移動することができる。被破砕物としては、採石場における原石、建造物解体において発生するコンクリート塊、道路工事で発生するアスファルト塊など、多種多様である。
【０００４】
破砕装置及び被破砕物の投入口は機体の略中央に設置され、その近傍の機体の左右両側にはそれぞれ作業者が乗降可能に形成された作業デッキが設置されている。作業者はこの作業デッキに乗って自走式破砕機の運転、点検、保守などを行なう。
【特許文献１】特開２０００−３２５８１９号公報（第１図、第３図）
【発明の開示】
【発明が解決しようとする課題】
【０００５】
上述したとおりの形態の従来の自走式破砕機には、しかしながら、次のとおりの解決すべき問題がある。
【０００６】
自走式破砕機は屋外の作業現場において稼働するので、作業者は炎天下の作業デッキ上で作業する。したがって必要に応じて作業者を覆うためのパラソルのような適宜の日除け手段が用いられるが、広い作業デッキに対応して作業者を覆うことができる手段の設置が望まれている。
【０００７】
自走式破砕機は、作業現場の間をトラック、トレーラなどに載せて輸送される。したがって、作業者を覆う日除けのような手段を設置すると、輸送時の公道走行などにおいて高さが制限されるため、輸送時には日除け手段を取り外し作業現場において再度取り付ける必要がある。
【０００８】
被破砕物の投入口が作業デッキの近くに上方に向け開口している。したがって、自走式破砕機の輸送あるいは作業終了後の保管などにおいて、この投入口に不用意に工具、異物などが落下、あるいは木の葉のようなゴミが侵入しやすく、その取り出しが面倒であるとともに、破砕物に混入すると品質不具合を発生させる。
【０００９】
本発明は上記事実に鑑みてなされたもので、その技術的課題は、広い作業デッキに対応して作業者を覆うことができ、また高さを自由に調整することができ、さらに破砕装置の投入口に不用意に工具、異物などが落下進入するのを防止できるキャノピーを備えた、自走式破砕機を提供することである。
【課題を解決するための手段】
【００１０】
本発明によれば上記技術的課題を解決する自走式破砕機として、上方に向け開口した破砕装置の投入口及びこの投入口の近傍に設けられた作業デッキを有する機体と、この機体に取り付けられたキャノピーとを備え、該キャノピーのルーフが、該作業デッキの上方に位置する「上位置」と該機体側に下りた「下位置」の間を移動自在に取り付けられている、ことを特徴とする自走式破砕機が提供される。
【００１１】
好適には、該作業デッキは該機体の左右両側部に形成された側部デッキを含み、該ルーフは該「上位置」においてこの側部デッキを含む作業デッキ全体を実質上覆う大きさに形成されている。そして、該ルーフは、該機体に「上位置」と「下位置」の間を移動自在に支持する支持手段を介して取り付けられ、該支持手段は、該側部デッキの各々に取り付けられた一対のスタンドと、このスタンドの各々と該ルーフの間に取り付けられた四辺形リンク部材を備え、該四辺形リンク部材によって該ルーフが、該「下位置」から「上位置」に向けて張り出される。また、該「下位置」のルーフによって該破砕装置の投入口が覆われる。さらに、該四辺形リンク部材及びスタンドの各々に連結され該ルーフの移動を駆動するあるいは手動による該ルーフの移動を補助するルーフ移動手段を備えている。
【発明の効果】
【００１２】
本発明による自走式破砕機によれば、機体に取り付けたキャノピーのルーフが、破砕装置の投入口の近傍の作業デッキの上方に位置する「上位置」と機体側に下りた「下位置」の間を移動自在に取り付けられている。したがって、ルーフを作業デッキに応じた大きさに形成することにより作業者を良好に覆うことができ、また自走式破砕機をトラック、トレーラなどに載せて輸送するときにはルーフを「下位置」に移動させ高さを低くすることができ、さらにルーフ「下位置」において破砕装置の投入口を覆うことにより投入口に不用意に工具、異物などが落下するのを防止できる。
【発明を実施するための最良の形態】
【００１３】
以下、本発明に従って構成された自走式破砕機について、好適実施形態を図示している添付図面を参照して、さらに詳細に説明する。
【００１４】
図１〜図３を参照して説明する。図１は自走式破砕機の側面図、図２はその平面図、図３は図２の平面図における装置の配置を、キャノピーを取り外して示した説明図である。
【００１５】
全体を番号２で示す自走式破砕機は、左右一対の無限軌道式の走行体４上に、上方に向け開口した破砕装置の投入口６（図３）を有した機体８を備え、生成された破砕物は排出コンベア１０によって機体８の前後方向（図１、図２、図３の左右方向）の一側（図１、図２、図３の左側）に搬出される。
【００１６】
機体８の前後方向の他側（図１、図２、図３の右側）には、例えば油圧ショベルのような積込機械によって被破砕物が投入されるホッパ１２、及びホッパ１２の被破砕物を投入口６に送るフィーダ１４が備えられている。機体８のホッパ１２が設置された端と前後方向反対側端部には、エンジン、油圧源などの動力源が収容されたパワーユニット１６が備えられている。
【００１７】
機体８の左右幅方向（図１の紙面に垂直方向、図２、図３の上下方向）の両側部の、投入口６（図３）の両側からパワーユニット１６までの間には、作業デッキ１８として一対の側部デッキ１８ａ、１８ｂが備えられている。作業者はこの作業デッキ１８の上に乗って自走式破砕機２の運転、点検、保守などを行なう。側部デッキ１８ａ、１８ｂそれぞれの外縁には、乗降用のステップ２０、２１、並びに手すりであるハンドレール２２、２３が備えられている。
【００１８】
機体８の略中央部にキャノピー２４が設置されている。キャノピー２４はそのルーフ２６が、作業デッキ１８の上方に位置する「上位置」（図１に二点鎖線で、また図２に実線で示す）と機体８側に下りた「下位置」（図１に実線で示す）の間を、移動自在に支持手段２８を介して取り付けられている。
【００１９】
キャノピー２４について、図１〜図３とともに、キャノピー２４の部分の拡大側面図である図４及び部分正面図である図５を参照して説明する。
【００２０】
ルーフ２６は、矩形の略平板状に形成され、矩形の大きさは、ルーフ２６「上位置」（図４に二点鎖線で示す）のときに、機体８の左右側部デッキ１８ａ、１８ｂを含む作業デッキ１８（図３）全体を実質上覆う大きさに形成されている。ルーフ２６は、キャノピールーフとして周知の材料、例えば鋼フレームにキャンバスあるいはプラスチックを張って、あるいは強化プラスチックにより一体成形して形成される。ルーフ２６は、その左右幅方向両側それぞれに、後で詳述する支持手段２８の左右一対の四辺形リンク部材３０、３１それぞれが連結される、左右幅方向に延びるピンを有したピン連結部Ｐ１、Ｐ２を備えている。
【００２１】
支持手段２８は、側部デッキ１８ａ、１８ｂ各々に取り付けられた一対のスタンド３２、３３、並びにスタンド３２、３３の各々とルーフ２６の間に取り付けられた四辺形リンク部材３０、３１を備えている。スタンド３２、３３、並びに四辺形リンク部材３０、３１は、機体８の左右幅方向（図４の紙面に垂直方向、図５の左右方向）において対称に形成されている。したがって、詳細については、一方のスタンド３２及び四辺形リンク部材３０によって説明する。
【００２２】
スタンド３２は、鋼部材、主として鋼板によって、側面から見て（図４）Ｙ字状に、正面から見て（図５）Ｌ字状に形成され、Ｌ字の底辺である基部３２ａが作業デッキ１８（１８ａ）の上にボルトによって固定され、垂直辺である立上部３２ｂがハンドレール２２に沿ってその上方に延びている。Ｙ字の二股部分にはそれぞれ四辺形リンク部材３０が連結される機体８の左右幅方向に延びるピンを有したピン連結部Ｐ３、Ｐ４を備えている。スタンド３２の立上部３２ｂはハンドレール２２に固定されている。
【００２３】
四辺形リンク部材３０は、側面から見て（図４）ピン連結部Ｐ１、Ｐ３に連結された一方のリンク３０ａと、ピン連結部Ｐ２、Ｐ４に連結された他方のリンク３０ｂの、一対のリンクを、略平行にすなわちＰ１、Ｐ２、Ｐ４、Ｐ３によって略平行四辺形を形成し、備えている。リンク３０ａ、３０ｂそれぞれの長手方向の中間には補強リンク３０ｃが差し渡されピンによりそれぞれに回動自在に連結されている。これらのリンク３０ａ、３０ｂ、３０ｃは帯状の鋼板を所定の長さに切断し所定の位置にピン穴を設けて形成されている。
【００２４】
ルーフ２６は、四辺形リンク部材３０（３１）により、「下位置」（図４に実線で示す）から「上位置」（図４に二点鎖線で示す）に向けて移動するにつれ、「下位置」から水平方向に離れ「張り出す」ように、また「下位置」において破砕装置の投入口６（図３）を覆うように設置されている。ルーフ２６はまた、四辺形リンク部材３０（３１）により、側面から見て（図４）「上位置」においては略水平に「下位置」においては張り出し方向の端をやや下方にして配設されている。
【００２５】
四辺形リンク部材３０（３１）によりルーフ２６を上述のように配設することによって、「下位置」と「上位置」の間を移動するルーフ２６の張り出し端は二点鎖線で示す弧状の軌跡３４を移動し、作業デッキ１８の上に起立した作業者用の空間を提供する。したがって、作業者はデッキ１８を降りないでルーフ２６を「上位置」と［下位置］の間で移動させることができる。
【００２６】
リンク３０ｂの長さ方向中間とスタンド３２との間には、スタンド３２に対し四辺形リンク部材３０の移動、すなわちルーフ２６の移動を駆動するルーフ移動手段としての油圧シリンダ３６が備えられている。油圧シリンダ３６は、作業デッキ１８上の作業者による操作スイッチ（図示していない）の操作により、パワーユニット１６の油圧源の圧油が給排され伸縮作動される。この油圧シリンダ３６に代えて、手動によるルーフ２６の移動を補助する圧縮流体を用いたガスシリンダ、あるいはスプリングを用いたスプリングシリンダのような補助手段を採用してもよい。
【００２７】
ルーフ２６は、スタンド３２に「下位置」において、スタンド３２のピン連結部Ｐ２の近傍に設けられたピン穴Ｆ１にルーフ２６に設けられたピン穴Ｆ２を合わせピンを挿入することにより、相互に動かないようにその位置を「下位置」に固定することができる。すなわち、自走式破砕機２をトラック、トレーラなどに載せて輸送するときなどにおいて、ルーフ２６を確実に「下位置」に保持固定することができる。
【００２８】
主として図１〜図３を参照して、上述したとおりの自走式破砕機２の作用について説明する。
【００２９】
自走式破砕機２によれば、機体８にキャノピー２４が備えられ、キャノピー２４のルーフ２６が、破砕装置の投入口６の近傍の作業デッキ１８の上方に位置する「上位置」と機体８側に下りた「下位置」の間を移動自在に取り付けられている。したがって、ルーフ２６を作業デッキ１８に応じた大きさ、すなわち図３に示す左右の側部デッキを含む作業デッキ全体を実質上覆う図３に示す大きさに形成することにより、作業者を良好に覆うことができ、例えば炎天下における作業者の作業環境を格段に改善することができる。
【００３０】
自走式破砕機２をトラック、トレーラなどに載せて輸送するときには、キャノピー２４のルーフ２６を「下位置」に移動させることにより、自走式破砕機２の全体の高さを、図１に示すＨ１からＨ２に格段に低くすることができ、高さ制限のある公道などを容易に輸送することができる。
【００３１】
この輸送時には、ルーフ２６のピン穴Ｆ２をスタンド３２のピン穴Ｆ１に合わせピンを挿入することにより、ルーフ２６を確実に「下位置」に保持固定することができる。さらにこの「下位置」におけるルーフ２６の張り出し端側をやや下方に向けて配設したので、排出コンベア１０の側が車両進行方向になる輸送時における空気抵抗を最小にし、万一ピンの挿入がなくても輸送中にキャノピー２４のルーフ２６が開かないようにすることができる。
【００３２】
キャノピー２４のルーフ２６「下位置」においてルーフ２６は破砕装置の投入口６（図３）を蓋をするように覆うので、工具、異物などが不用意に投入口６に落下するのを防止できる。
【図面の簡単な説明】
【００３３】
【図１】本発明に従って構成された自走式破砕機の側面図。
【図２】図１の自走式破砕機を上方から見た平面図。
【図３】図２の平面図における装置配置を、キャノピーを取り外した状態で示した説明図。
【図４】図１のキャノピーの部分の拡大図。
【図５】図４のＡ−Ａ矢印方向に見て、ルーフ「上位置」で幅方向の片側を示した正面図。
【符号の説明】
【００３４】
２：自走式破砕機
６：投入口
８：機体
１８：作業デッキ
１８ａ、１８ｂ：側部デッキ
２４：キャノピー
２６：ルーフ
２８：支持手段
３０、３１：四辺形リンク部材
３２、３３：スタンド
３６：油圧シリンダ（ルーフ移動手段）
【図１】
2006000690.tif 000003
【図２】
2006000690.tif 000004
【図３】
2006000690.tif 000005
【図４】
2006000690.tif 000006
【図５】
2006000690.tif 000007